(57)【要約】ブラケットを含むチェアリフトのためのサポートは、簡単でシンプルに既存のチェアリフトへ取り付けられ、チェアリフト上のスノーボーダーのためのサポートを提供します。それは簡単につけることができ、丈夫で安全なサポートを提供します。このチェアリフトのサポートの設定を変えることにより、マウンテンバイク或いはスケートボードをサポートするために利用することもできます。
2005515106.tif 000002
【特許請求の範囲】
【請求項１】
スノーボード及びマウンテインバイクのいずれかをサポートするアセンブリーであって、
その片側に沿って取り付け穴を有する本体部と、
サポート表面を有するものであって、前記片側から遠方へと延びる、少なくとも１つの一体化したサポートアームと、
前記本体部と結合され、所定の距離だけ隔てられて配置される、第１及び第２の取付けブラケットアセンブリーと、
チェアリフトの実質的に垂直なサポートメンバーを取り囲むように配置された、前記取付けブラケットアセンブリーと、
スノーボード及びマウンテインバイクうちいずれか１つをサポートするためのサポート表面を有する前記サポートアームと、を含むアセンブリー。
【請求項２】
前記第１の取り付けブラケットアセンブリーが、固定手段により実質的に垂直なサポートメンバーへ固定されている、請求項１記載のアセンブリー。
【請求項３】
前記第２の取り付けブラケットアセンブリーが、サポートアセンブリーの下方向への動きを防ぐために、実質的に垂直なサポートアームへとその下方端において結合されたチェアリフトクロスメンバーを受ける凹部を備える、請求項１記載のアセンブリー。
【請求項４】
前記第２の取り付けブラケットアセンブリーが、サポートアセンブリーの下方向への動きを防ぐために、実質的に垂直なサポートアームへとその上方端において結合されたチェアリフトクロスメンバーを受ける凹部を備える、請求項１記載のアセンブリー。
【請求項５】
そのサポートアームの自由端が、その上でサポートされるメンバーが前記自由端から滑り落ちるのを防ぐために、前記サポート表面から遠方へと延びる突起部を有する、請求項１記載のアセンブリー。
【請求項６】
チェアリフトの占拠者によって着用された少なくとも１つのスキーをサポートするための少なくとも１つの第１のサポートを有するチェアリフトの上のスノーボードをサポートするためのアセンブリーにおいて、
そのチェアリフトの占拠者によって着用されたスノーボードのための第２のサポートと、
その第１のサポートメンバーへと横切る角度でそのチェアリフト上に取り付けられる前記第２のサポートと、を含むアセンブリー。
【請求項７】
スノーボード及びマウンテンバイクのいずれか１つをサポートするアセンブリーにおいて、
その片側に沿って取り付け穴を有する本体部と、
上方及び下方のサポート表面を有するものであって、前記片側から遠方へと延びる、少なくとも１つの一体化したサポートアームと、
前記本体部と結合され、所定の距離だけ隔てられて配置される、第１及び第２の取付けブラケットアセンブリーと、
チェアリフトの実質的に垂直なサポートメンバーを取り囲むように配置された、前記取付けブラケットアセンブリーと、
スノーボード及びマウンテインバイクうちいずれか１つをサポートするためのサポート表面を有する前記サポートアームと、を含むアセンブリー。
【請求項８】
前記上方及び下方のサポート表面の自由端が、その上にあるメンバーがそのサポート表面から滑り落ちるのを防ぐために、そのサポート表面から遠方に延びる突起部をそれぞれに備える、請求項７記載のアセンブリー。
【発明の詳細な説明】
【技術分野】
【０００１】
本発明はスキーリフトに関するものであり、特にマウンテンバイカーやスノーボーダーをスキーヤーと同様にスキーリフトへ乗せるための付属品である。
【背景技術】
【０００２】
本発明はスキーリフトに関するものである。特には、今までにないサポートであって、簡単にすばやく既存のチェアリストにつけることができ、スノーボーダーやマウンテインバイカーのために頑丈で信頼性のあるサポートを提供するものである。
【０００３】
スキーリゾートは長くスキーヤーのためにリフトを提供してきましたが、最近ではスノーボーダーの数も増え、今までスノーボーダーを受け入れなかったスキーリゾートが今では喜んで受け入れるようになってきた。今ではスノーボーダーは受け入れられるようになったが、現在使われている従来通りのチェアリフトは、スノーボーダーにとってあまり使いやすいものではないのが現状です。スキーヤーとスノーボーダーは、通常各々のスキー板とスノーボードを身につけチェアリフトに乗ります。スキーはスキーの面をユーザーの足と同じ方向へ向けて身につけますが、スノーボードの場合ユーザーの足に対しほぼ垂直方向へ延びています。
【０００４】
従来のチェアリフトはスキーをのせるためのサポートを提供し、スノーボーダーに対しては何のサポートもしてきませんでした。その結果、スノーボーダーは、このサポート不足のためにチェアリフトに乗るときに不便を強いられてきました。
【発明の開示】
【発明が解決しようとする課題】
【０００５】
それゆえにこの発明品は、スノーボーダーのためのサポートを提供するためのもので、素早く、簡単にチェアリフトにつけることができ、そして特にスキーサポートを持ちながら、簡単にすばやい方法で、丈夫でスノーボーダーへの信頼性の高いサポートを提供し、長期にわたる荒い使用でも信頼して使用できることができます。
【課題を解決するための手段】
【０００６】
本発明は、主な棒状の部品とそれに対応する組み立てブラケットよりなり、それらはすばやく簡単にチェアリフト、特にスキーサポートのためのサポートアームに乗せるようデザインされているのが特徴である。それにより本発明は、チェアリフトをスキーヤーとスノーボーダーの両者を乗せることができます。またスキーヤーとスノーボーダーの両者を乗せるとき、どの組み合わせでも対応することが可能である。例えば、二人のスキーヤー、二人のスノーボーダー、あるいは一人のスキーヤー、一人のスノーボーダーなどです。そしてさらには二つのシートを持つチェアリフトのどちらのシートでもスキーヤーとスノーボーダーを乗せることが可能です。
【０００７】
本発明の好適な実施例のひとつは、マウンテンバイクをシンプルで簡単な取り付け手段により乗せることができるようデザインされていることです。それはスノーボーダーのために利用した部品と同じものを利用するので、夏のレジャーでスキーリフトの使用を高めると同様にスポーツ活動の範囲を広げることができます。
【０００８】
本発明は、番号による名前のつけられた要素として、下記の図と一緒に説明されます。
【発明を実施するための最良の形態】
【０００９】
まず図９、図１０を参照すると、従来のリフト１０は、ほぼＵ字を上下ひっくり返したようなメンバー１２をもち、それは一般的に頭上のケーブルによって支えられ、そのいすを支えています。それは、バック１４、サイド１６、１８、シート２０、そしてサイド１６、１８から内部へ延びる二つの前方のバー１６ａ、１８ａ、これらは１６ｂ、１８ｂで下方へ曲がり、それから１６ｃ、１８ｃで対角に下方および前方へ延び、そして最後に外側へ延び、スキーを乗せる１６ｄ、１８ｄとして構成されています。
【００１０】
図９で示されているチェアリフト１０は、スキーをはいた二人のスキーヤーを乗せることができます。１６ｄと１８ｄは、チェアリフトが離陸ポイントへ上方向（或いは下方向）に動くときに各々のスキーをサポートします。
【００１１】
図９と１０に実施例として示されている本発明は、二組のＬ字型のロッド２５および３０、アーム２５ａおよび３０ａよりなり、これは下方向へ垂れ下がる部分１６ｃ、１８ｃに対しおかれます。そしてそこへ適した固定メンバー２７と３２によりきちんと留められます。
【００１２】
メンバー２５と３０は、前方へ延びるアーム部２５ｂと３０ｂをもっています。それらは一体化されており、膝２５ｃ、３０ｃから外側へ延びます。それによりスキーチェアの前方の動きとあった方向へ延ばすことができます。
【００１３】
サポート１６ｄと１８ｄは、各々スキーのための従来のサポートをするよう構成されています。アーム２５ｂと３０ｂは、スノーボードのための上部と下部のサポートをします。これらのサポートはいずれともスノーボーダーが右きき用或いは左きき用のシートにのったとしてもかまわず利用することができ、どちらのリフト乗客も同じ使いやすさで使うことができます。追加として、そのリフトにこの発明品を取り付けることにより二人のスキーヤー、二人のスノーボーダー、或いは一人のスキーヤー、一人のスノーボーダーの組み合わせも可能で、各々右きき左きき用のシートでも使用することができます。
【００１４】
本発明は、すばやく簡単に取り付けることができ、度重なる頻繁な使用にも耐えることができるようデザインされています。
【００１５】
図１ａ−１ｆは本発明の実施例４０をしめします。これは今までにないブラケットアセンブリーを利用するもので以下に詳細を記します。図１ａ−１ｆの実施例で、メンバー１６ｄ、１８ｄは各々プラスティックスリーブ１６ｅ、１８ｅをはめており、これは１６ｄ、１８ｄ部へはめられています。これはすべり摩擦係数の低いプラスティック素材でできた保護カバーであるため、スキーを乗せるときにおこるダメージからスキーを守ります。
【００１６】
同じような方法で、メンバー２５と３０のアーム２５ｂと３０ｂはスリーブ２５ｄ、３０ｄを持ち、これらはスリーブ１６ｅ、１８ｅと同じようなデザインと機能をもちます。
【００１７】
メンバー２５と３０は、二組のブラケットアセンブリー３５によりメンバー１６ｃと１８ｃの上につけられます。これらのブラケットアセンブリーは同じようなデザイン、機能、見た目であるため、ここでは簡単にするためにひとつだけ説明をします。ブラケットアセンブリー３５はブラケットハーフ３６と３８によりなります。その内部３６ａ、３８ａは受け口、メンバー２５ａ、３０ａの円柱型と一致するようデザインされており、となりあったこれらのほぼ半円柱型の空洞は、四円形型の凹部３６ｂ、３６ｃと３８ｂ、３８ｃである。これらはメンバー３６と３８が図１ｆで示されているように結合されるとき円柱型の凹部になる。
【００１８】
ブラケットハーフ３６と３８は、各々正反対に対立した留め具フランジ３６ｄ、３６ｅそして３８ｄ、３８ｅからなる。組み立てられるとき、フランジ３６ｄと３６ｅはフランジ３８ｄと３８ｅの表面にしっかりと組み合わさるようになる。ふさわしい留める手段は、例えば、ねじ式ナットとねじ式ボルトがうまくかみ合うように（簡素にするため図はなし）、ブラケットハーフを一緒にくっつける。メンバー３０ａ、２５ａ、１８、１６ｃと１８ｃをうけるその凹部は、ブラケットハーフ３６と３８と管状メンバーがきっちりとはまるように管状メンバーの外側の直径サイズより若干小さめである。図１ｄと１ｃによく示されているブラケットハーフ３６と３８は、各々図１ｃと１ｄに示されている。オープニング３６ｆ、３８ｆは、先細になった先端をもったねじ込み式或いはセルフタップメンバーのいずれかを受ける（簡素化にするため図はなし）。これらの先端は、ブラケット３５に対するメンバー２５と３０のぶれを防ぐために管状メンバー２５ａと３０ａにきっちり留められる。実施例の図１ａ−１ｆに示されているブラケットメンバーの十分な圧縮は、メンバー２５と３０をメンバー１６ｃ、１８ｃに対する動きに対ししっかり固定されているようになっている。
【００１９】
図１ａ−１ｆに示される実施例は、管状メンバー１６ｃ、１８ｃ、３０ａ、２５ａが適用されているが、そのブラケット３６と３８の内部の凹部は、例えば長方形、正方形、またはほかの多角形の断面型などの他の構成へも対応できることを理解されたい。また、いろいろな組み合わせへの変更もできる。例えば、メンバー２５ａと３０ａが円柱の断面をもっていたとしても、正方形の断面をもったメンバー１６ｃと１８ｃをそのブラケットに受け入れるよう変更することができる。またその逆も可能である。
【００２０】
図２ａ−２ｅは、さらに他の実施例５０を示している。これはひとつの管状メンバー５２からなり、その管状メンバーはカーブになった中間部５２ａをもち、一体したアーム５２ｂ，５２ｃはカーブになった断面５２ａと一体し、５２ａから反対方向へ延びています。メンバー５２ｂと５２ｃは中央の縦軸に沿っておくことにより、それらの上側の面は、図２ｃの点線Ｐにより表示されている同じ平面におくことができます。
【００２１】
バー５２は、まっすぐなバー５４に、図２ａ、２ｃに示しているメンバー５４の前方へ折れ曲がっている部分５４ａの下側に凹型の面５２ｄをつけることによりつけられます。二組のブラケット５６は、同じデザイン、機能であり、バー５２の反対側の端５２ｂと５２ｃを受けるためのオープニング５６ａを持っている。二組の長いねじ式ボルト５８は、各プレート５６にある穴５６ｂ、５６ｃを通る。ねじ式ナット６０とワッシャー６２はボルト５８で閉められるとき、図２に示されるようにブラケット５６の上側の端でお互いの方向へ傾き、そうすることにより論理的垂直から曲げられ、バー５２の５２ｂ、５２ｃの部分でその各々のブラケットを固定する。二組のくさびメンバーＷは、プレート５６と縦型のロッド５４の間にバー５２を縦型ロッド５４へ固定、またぶれを防ぐために置かれる。
【００２２】
図３ａ−３ｄの実施例６０は、正方形の断面をもった管状メンバー６０より構成されている。その下側は溶接により結合されており、空洞の管状メンバー６４の反対側の先６４ａ、６４ｂは取り付けロッド５４から離れた反対側の方向へ延びている。この二組の取り付けブラケット６６は、最初のクランプハーフ６７は円柱型のメンバー５４と一致する凹型の表面を持っている。次にそれと一緒に作用するクランプハーフ６８は正方形のメンバー６２と一致する表面を持っている。適した留め具メンバー（図はなし）はクランプハーフ６７、６８と結合し、それによりアセンブリー６０をロッド５４へ固定する。
【００２３】
プレート７０はメンバー６２と溶接で結合されており、カーブされたエッジ７０ａは、図３ａと３ｂによく示されているように外側へ延びるロッド５４ａを局部的に囲むようになっています。
【００２４】
図４は他の代わりの実施例７０を示しており、その中のメンバー５４は二つの外側へ延びたサポート５４ａ、５４ｂを持っています。それらはスリーブ５４ｃと５４ｄで覆われています。本発明の取り付けブラケットアセンブリー実施例７０は、管状メンバー７０ａよりなり、これはブラケット７２によりメンバー５４と結合されています。このブラケット７２はどのタイプでもかまいません。例えば、上記で説明したどの実施例の接続とも可能です。そしてそれに対応するスリーブ７０ｄ、７０ｅで覆われた外側へ突起する７０ｂ、７０ｃをもっています。メンバー７０ｂと７０ｃは角度θより二等分されたラインＢより等距離に位置します。各々メンバー７０ｂと７０ｃはスノーボードをサポートします。
【００２５】
図５は他の実施例７０'を示しています。そのメンバー７０ａは横木７３と結合されており、その横木はサポートアーム７４、７６を持ち、それらは各々スノーボードをサポートし、横木７３の各反対側の先に位置し延びています。
【００２６】
図６にある実施例７０''は、図４の実施例７０とほとんど同じで、アーム７０ｂ、７０ｃは、それらのどこへも接していない部分（自由端）で、対角に設置されたアーム７７、７８により一体化されています。
【００２７】
図７にある実施例７０'''は、前方へ延びたアーム７９よりなります。これはメンバー７０ａと結合しており横木８０をもっています。この横木８０は、その反対の先でサポートアーム８１、８２により結合され、後方のメンバー７０の方向へ延びています。これはスノーボードのためのサポートをします。
【００２８】
図８は実施例７０''''を示しています。その中のサポートアーム７０ａは下側の先で一体化されており、ほぼＵ字型をしたアームサポート８３、８４を持っています。
【００２９】
図４−８の実施例で、そのサポートアームはアーム７０ａに対しほぼ直角に延びています。しかしこれらのサポートアームは水平よりそれ、また７０ａに対して９０度より少ないまたは大きい角度を形成をすることもできます。その角度は４５度から１３５度の範囲が好ましいです。これらのサポートアームの機能はスノーボードをサポートし、これにより足とスノーボーダーのスノーボードが自由にリフトの真下にぶら下がることがないようにします。
【００３０】
図１１−１３はこの発明の他の実施例９０を示しています。これは本体９２と上方へつけられるブラケット９３、９４と下方へつけられるブラケット９５、９６より構成されます。本体９２は、一人或いは二人のスノーボーダーをサポートし、後方部９２ａには一体したサポートアーム９２ｂと９２ｃをもち、それらはそこから前方へ延びています。各々のサポートアームはほぼ平らなサポート表面９２ｂ−１、９２ｃ−１をもち、カーブされたリップ９２ｂ−２、９２ｃ−２は上方へ延び末端となっています。
【００３１】
上方のブラケット９３と９４はほぼ同一のデザインと機能で、お互い鏡のようなイメージなので、ここでは簡単にするためにこれらブラケットのひとつだけ説明することにします。ブラケット９４は二つのオープニングをもち、最初のオープニングＯ１は各々ねじ式メンバーＴＭを受け、そのＴＭはメンバー９２のオープニングＯ１とＯ２をとおります。ブラケット９３の二つのオープニングはブラケット９４のオープニングＯ１と似ています。対応した留め具ナットＮは、ブラケット９３と９４を本体９２へ留めるために、各々ねじ式メンバーＴＭのうちの一つとはめられます。ワッシャー（図なし）をナットＮと（或いは）ねじ式メンバーＴＭに隣接させることもできます。
【００３２】
本体部９２は予備のオープニングＯ３を持っており、それらのオープニングＯ３の間には同じようなスペースをもつことによりブラケット９３と９４を一番高い穴Ｏ２、グループＯ３の一番下の穴、或いはこれらの間のどの位置でも位置付けられるようにします。
【００３３】
ブラケット９４はさらにオープニング９４のグループを提供します。ねじ式メンバーＴＭは、選択されたひとつのオープニングＯ４から垂直アーム１０２の後ろへ延びます。その垂直アーム１０２はチェアリフト１００から下方向へ延び、そしてその下側に固定されたサポート１０３と１０４を持っています。それらは各々スキーヤーのスキーと適応します。これらのオープニングＯ４のうちいくつかのオープニングを選択し、ねじ式メンバーＴＭを通します。そうすることによりブラケット９３と９４、ねじ式メンバーＴＭ、サポート１０２に関するメインメンバー９２の後ろの表面をしっかりと合わせるようにします。
【００３４】
図１１と１２に示されているサポート１０２がとても厚いアプリケーションは、ひとつ或いはそれ以上のスペーサ９７、９８をブラケット９３と９４、本体９２の間に位置することができます。必要であれば、スリーブをむき出しになったねじ式メンバーＴＭのねじ山部分におくこともできます。弾力メンバー（図はなし）は、例えば縦方向にそって切られた表面のゴムホースの断面などをサポート１０２につけることが可能です。弾力メンバーを位置づけることにより、それはメンバー９２、９３、９４とねじ式メンバーＴＭにより取り囲まれます。
【００３５】
低いブラケット９５と９６はほぼＨ型をした形態をしており、上側と下側のほぼＵ字型をした凹部によって定義されます。例えばメンバー９６は上側と下側のＵ字型をした凹部９６ａと９６ｂをもっています。ブラケット９５は、ブラケット９６とほぼ同じデザインをしておりブラケット９５と鏡のようなイメージである。
【００３６】
ブラケット９５，９６各々の縦方向のサイドには多数の取り付け穴Ｏ５がつけられており、それは本体９２の下側の端に同じような取り付け穴Ｏ６と整列されるよう設置されています。図１１と１２に示されている実施例の中のねじ式メンバーＴＭは、好ましくは最低でもブラケット９５と９６の上側、下側の穴をとおり、メンバー９２にブラケット９５，９６を取り付けるためにメンバー９２にあるオープニングＯ６のグループのうち二つを通します。二つのねじ式メンバーとそれに作用するナットＮは、メンバー９２へブラケット９５と９６を取り付けるためには十分ではあるが、必要であれば予備の留め具メンバーとナットを利用することもできます。補足として、ブラケット９５と９６は、他のチェアリフトサポートを設置するために、図１１、１２に示されている位置より上方向或いは下方向へ移動することがある。
【００３７】
上記のブラケット９３と９４に関する説明とおなじように、サポート１０２のサイズが大きくなったアプリケーションで、図１１、１２に示されている方法で、ひとつまたはそれ以上のスペース９７ａと９８ａは本体９２のブラケット９５と９６の間に位置されます。
【００３８】
アセンブリー９０が正しく備え付けられるとき、下側のＵ字型をしたカットアウト９５ｂと９６ｂは、ブラケット９５と９６の中でクロスバー１０３と１０４の先の内側を取り囲むようになります。
【００３９】
各々のサポートの表面９２ｂ−１と９２ｃ−１はスノーボードをサポートするよう配置されています。その前方のリップ９２ｂ−２と９２ｃ−２は、スノーボードをそのサポートから滑り落ちることから守るためのものです。
【００４０】
サポートアセンブリー９０の取り付けは、簡単ですばやく、また最小の留め具メンバーを必要とするだけです。そのサポートの重さと一人または複数のスノーボーダーの重量をあわせたとしてもその位置でそのサポートを保持します。図１２に例がある。
【００４１】
今までの実施例と同じように、アセンブリー９２はチェアリフトのスキーサポートの使用を妨げない、またはその逆も同じであるため、アセンブリー９０は、チェアリフトをスキーヤーとスノーボーダーのみ、或いは組み合わせによる使用を可能にします。
【００４２】
アセンブリー９２はマウンテンバイクへも適応するよう利用されます。図１４を参照すると、ブラケット９３と９４は本体部９２へつけられ、ブラケット９５と９６は本体９２へ図１１と１２で示されるような取り付け方法で取り付けられます。しかしアセンブリー９０は上下逆につけられるので、本体部９２は、アーム９２ｃがアーム９２ｂの上へ設置されます。ブラケット９５と９６のＵ字型のカットアウト９５ａと９６ａは、図１４で示されるようチェアリフトの１０５と１０６部を取り囲むようデザインされています。あと、本体９２とブラケット９３と９４は図１３、１４で示されるようサポート１０２の１０２ａの上部を取り囲むよう位置されます。最低ひとつのねじ式メンバーは、ブラケット９３、９４にある適したオープニングを上記で説明したような同じような方法でチェアリフトへアセンブリーの下の端を固定するために延びます。ほぼＵ字型をしたカットアウト９５ａと９６ａは１０５と１０６部分をとり囲みます。それらは同じ場所にそのアセンブリーをとどめ、図１４に示されるようにその取り付け位置より下方向へ滑り落ちるのを防ぐためのものです。表面９２ｃ−３はマウンテンバイクのためのサポートをします。例えば、図１４に示されている点線で囲まれているバーＢは、前のフォークと自転車（図はなし）の座席ポストの間で延ばすことができ、これは表面９２ｃ−３上におくこともできます。丸まったリップ９２ｃ−４は、マウンテンバイクをサポート９２ｃ−３から滑り落ちるのを防ぎます。図１１−１４のアセンブリー９０は、スノーボードサポートとしてデザインされているが、同様にまた追加の取り付け部品を必要とせずにマウンテンバイクをもサポートすることができます。また簡単に特別なアプリケーションによりサポートアセンブリーの設定の変更を要するだけである。
【００４３】
本発明の実施例は、二組のスノーボーダー（或いは二組以上）と同様に、一組のスノーボーダーのためのサポートアームをもち、利用されることができることを理解していただきたいです。追加として、このサポートは、山地のためにデザインされたマウンテインバイクへも適応することができます。
【図面の簡単な説明】
【００４４】
【図１】図１ａ−１ｆは本発明のひとつの実施例を示しており、図１ａは側面図、図１ｂは前面図、図１ｃは背面図、図１ｄは透視図、図１ｅは背面図の詳細、図１ｆは上表図を示す。
【図２】図２ａ−２ｅは他の本発明の実施例を示しており、図２ａは分解された透視図、図２ｂは２ａの切削プレートの見取り図、図２ｃは側面図、図２ｂは上表図、図２ｅは頭上からみた図である。
【図３】図３ａ−３ｄは他の実施例を示しており、図３ａは透視図、図３ｂは側面図、図３ｃは上表図、図３ｄは前面図である。
【図４】その他の実施例の透視図である。
【図５】その他の実施例の透視図である。
【図６】その他の実施例の透視図である。
【図７】その他の実施例の透視図である。
【図８】その他の実施例の透視図である。
【図９】チェアリフトにこの発明品を付けた透視図である。
【図１０】透視図の詳細で図９のスノーボードサポートを表している。
【図１１】本発明の他の好適な実施例の透視図である。
【図１２】本発明の他の好適な実施例の透視図である。
【図１３】本発明の他の好適な実施例の透視図である。
【図１４】図１１−１３で表しているマウンテインバイクをチェアリフトへ乗せた実施例の上表図である。
【図１ａ】
2005515106.tif 000003
【図１ｂ】
2005515106.tif 000004
【図１ｃ】
2005515106.tif 000005
【図１ｄ】
2005515106.tif 000006
【図１ｅ】
2005515106.tif 000007
【図１ｆ】
2005515106.tif 000008
【図２ａ】
2005515106.tif 000009
【図２ｂ】
2005515106.tif 000010
【図２ｃ】
2005515106.tif 000011
【図２ｄ】
2005515106.tif 000012
【図２ｅ】
2005515106.tif 000013
【図３ａ】
2005515106.tif 000014
【図３ｂ】
2005515106.tif 000015
【図３ｃ】
2005515106.tif 000016
【図３ｄ】
2005515106.tif 000017
【図４】
2005515106.tif 000018
【図５】
2005515106.tif 000019
【図６】
2005515106.tif 000020
【図７】
2005515106.tif 000021
【図８】
2005515106.tif 000022
【図９】
2005515106.tif 000023
【図１０】
2005515106.tif 000024
【図１１】
2005515106.tif 000025
【図１２】
2005515106.tif 000026
【図１３】
2005515106.tif 000027
【図１４】
2005515106.tif 000028
【手続補正書】
【提出日】平成16年9月8日(2004.9.8)
【手続補正１】
【補正対象書類名】特許請求の範囲
【補正対象項目名】全文
【補正方法】変更
【補正の内容】
【特許請求の範囲】
【請求項１】
スノーボード及びマウンテインバイクのいずれかをサポートするアセンブリーであって、
その片側に沿って取り付け穴を有する本体部と、
サポート表面を有するものであって、前記片側から遠方へと延びる、少なくとも１つの一体化したサポートアームと、
前記本体部と結合され、所定の距離だけ隔てられて配置される、第１及び第２の取付けブラケットアセンブリーと、
チェアリフトの実質的に垂直なサポートメンバーを取り囲むように配置された、前記取付けブラケットアセンブリーと、
スノーボード及びマウンテインバイクうちいずれか１つをサポートするために適合された前記サポートアームサポート表面と、を含むアセンブリー。
【請求項２】
前記第１の取り付けブラケットアセンブリーが、固定手段により実質的に垂直なサポートメンバーへ固定されている、請求項１記載のアセンブリー。
【請求項３】
前記第２の取り付けブラケットアセンブリーが、サポートアセンブリーの下方向への動きを防ぐために、実質的に垂直なサポートアームへとその下方端において結合されたチェアリフトクロスメンバーを受ける凹部を備える、請求項１記載のアセンブリー。
【請求項４】
前記第２の取り付けブラケットアセンブリーが、サポートアセンブリーの下方向への動きを防ぐために、実質的に垂直なサポートアームへとその上方端において結合されたチェアリフトクロスメンバーを受ける凹部を備える、請求項１記載のアセンブリー。
【請求項５】
そのサポートアームの自由端が、その上でサポートされるメンバーが前記自由端から滑り落ちるのを防ぐために、前記サポート表面から遠方へと延びる突起部を有する、請求項１記載のアセンブリー。
【請求項６】
チェアリフトの占拠者によって着用された少なくとも１つのスキーをサポートするための少なくとも１つの第１のサポートを有するチェアリフトの上のスノーボードをサポートするためのアセンブリーにおいて、
そのチェアリフトの占拠者によって着用されたスノーボードのための第２のサポートと、
その第２のサポートメンバーへと横切る角度でそのチェアリフト上に取り付けられる前記第２のサポートと、を含むアセンブリー。
【請求項７】
スノーボード及びマウンテンバイクのいずれか１つをサポートするアセンブリーにおいて、
その片側に沿って取り付け穴を有する本体部と、
上方及び下方のサポート表面を有するものであって、前記片側から遠方へと延びる、少なくとも１つの一体化したサポートアームと、
前記本体部と結合され、所定の距離だけ隔てられて配置される、第１及び第２の取付けブラケットアセンブリーと、
チェアリフトの実質的に垂直なサポートメンバーを取り囲むように配置された、前記取付けブラケットアセンブリーと、
スノーボード及びマウンテインバイクうちいずれか１つをサポートするために適合された前記サポートアームサポート表面と、を含むアセンブリー。
【請求項８】
前記上方及び下方のサポート表面の自由端が、その上にあるメンバーがそのサポート表面から滑り落ちるのを防ぐために、そのサポート表面から遠方に延びる突起部をそれぞれに備える、請求項７記載のアセンブリー。
【請求項９】
スノーボードをサポートするためのアセンブリーであって、
その片側に沿って取り付け穴を有する本体部と、
サポート表面を有するものであって、前記片側から遠方へと延びる、少なくとも１つの一体化したサポートアームと、
前記本体部と結合され、所定の距離だけ隔てられて配置される、第１及び第２の取付けブラケットアセンブリーと、
チェアリフトの実質的に垂直なサポートメンバーを取り囲むように配置された、前記取付けブラケットアセンブリーと、
スノーボードをサポートするために適合された前記サポートアームサポート表面と、を含むアセンブリー。
【請求項１０】
前記チェアリフト垂直サポートメンバーが、スノースキーのための少なくとも１つのサポートをサポートし、前記サポートアームが、前記スノースキーサポートを横切るように並べられる、請求項９記載のアセンブリー。
【請求項１１】
スノーボードをサポートするためのアセンブリーであって、
取り付け部を有する本体部と、
サポート表面を有するものであって、前記取り付け部から遠方へと延びる、少なくとも１つの一体化したサポートアームと、
前記本体部と結合される取付けブラケットアセンブリーと、
チェアリフトの実質的に垂直なサポートメンバーに前記取り付け部を結合させるように配置された、前記取付けブラケットアセンブリーと、
スノーボードをサポートするために適合された前記サポートアームサポート表面と、を含むアセンブリー。
【請求項１２】
前記チェアリフト垂直サポートメンバーが、スノースキーのための少なくとも１つのサポートをサポートし、前記サポートアームが、前記スノースキーサポートを横切るように並べられる、請求項１１記載のアセンブリー。
【国際調査報告】
2005515106.tif 000029
2005515106.tif 000030